(57)【特許請求の範囲】
【請求項１】
ジェットエンジン（４０）用のナセル（５４）であって、
気流（４３）を受けるように構成された吸気口（４２）と、
前記ナセル（５４）の吸気口（４２）に流体連結された予冷器吸気ダクト（１００）を含む予冷アセンブリ（６０）と
を備え、前記予冷器吸気ダクト（１００）は、前記ジェットエンジン（４０）のコンプレッサ（４４）によって加圧される圧縮気流（４５）から予冷器気流（６５）を受け、前記予冷器気流（６５）を熱交換器（６６）内に案内するように構成され、前記予冷器吸気ダクト（１００）は、
前記予冷器吸気ダクト（１００）の少なくとも一部を画定し、前記予冷器気流（６５）を前記熱交換器（６６）内に案内するように成形される流れ案内表面（１４０）と、
前記予冷器気流（６５）が前記予冷器吸気ダクト（１００）を通って流れるときに、境界層（８０）が前記流れ案内表面（１４０）から分離することに抵抗するために、前記流れ案内表面（１４０）に隣接する前記境界層（８０）内部の境界層の流体の流れ（８２）を修正するように配置されるアクティブな流れ制御デバイス（１５０）と
を備え、前記アクティブな流れ制御デバイス（１５０）は、前記流れ案内表面（１４０）によって画定される注入穴（１５４）を通して、流れ制御流体流（１５２）を前記境界層（８０）に注入するように構成され、前記注入穴（１５４）は、下限角度と上限角度との間で定期的に変化する注入角度で前記流れ制御流体流（１５２）を注入するように構成され、前記注入角度は、前記流れ案内表面（１４０）の表面法線方向に平行な平面において画定される、ナセル（５４）。
【請求項２】
前記アクティブな流れ制御デバイス（１５０）は、前記予冷器吸気ダクト（１００）を通る平均予冷器気流（６５）の流速が、少なくとも１００メートル／秒（ｍ／ｓ）であってかつ３５０ｍ／ｓ未満であるときに、前記境界層（８０）が前記流れ案内表面（１４０）から分離することに抵抗するように構成される、請求項１に記載のナセル（５４）。
【請求項３】
前記アクティブな流れ制御デバイス（１５０）は、前記予冷器気流（６５）が前記予冷器吸気ダクト（１００）を通って流れているときに、前記流れ制御流体流（１５２）を前記境界層（８０）に継続的に注入するように構成される、請求項１又は２に記載のナセル（５４）。
【請求項４】
前記アクティブな流れ制御デバイス（１５０）は、前記予冷器気流（６５）が前記予冷器吸気ダクト（１００）を通って流れているときに、前記流れ制御流体流（１５２）を前記境界層（８０）に断続的に注入するように構成される、請求項１又は２に記載のナセル（５４）。
【請求項５】
前記アクティブな流れ制御デバイス（１５０）は、複数の流れ制御流体流（１５２）を前記境界層（８０）に注入するように構成される、請求項１から４のいずれか一項に記載のナセル（５４）。
【請求項６】
機体と、
請求項１から５のいずれか一項に記載のナセルを有するジェットエンジン（４０）と
を備える航空機。
【請求項７】
ジェットエンジン（４０）用のナセル（５４）の予冷アセンブリ（６０）の予冷器吸気ダクト（１００）の流れ案内表面（１４０）から、境界層（８０）が分離することに抵抗する方法であって、
流れ案内表面（１４０）全体にわたって、かつ予冷器吸気ダクト（１００）を含む前記ジェットエンジンの予冷器吸気ダクト（１００）を通して、予冷器気流（６５）を流すこと（２１０）であって、当該流すことは、流れ案内表面（１４０）に隣接する境界層（８０）を発生させることを含み、更に前記境界層（８０）は、境界層の流体の流れ（８２）を含む、流すこと（２１０）と、
前記境界層（８０）が前記流れ案内表面（１４０）から分離することに抵抗するために、アクティブな流れ制御デバイス（１５０）で前記境界層の流体の流れ（８２）を修正すること（２２０）であって、当該修正することは、前記流れ案内表面（１４０）によって画定される注入穴（１５４）を通して、流れ制御流体流（１５２）を前記境界層（８０）に注入すること（２２２）を含む、修正すること（２２０）と
を含み、
前記注入穴（１５４）は、下限角度と上限角度との間で定期的に変化する注入角度で前記流れ制御流体流（１５２）を注入するように構成され、前記注入角度は、前記流れ案内表面（１４０）の表面法線方向に平行な平面において画定される、方法。
【請求項８】
前記注入すること（２２２）は、
（ｉ）前記予冷器気流（６５）が前記予冷器吸気ダクト（１００）を通って流れている間に、前記流れ制御流体流（１５２）を継続的に注入することと、
（ｉｉ）前記予冷器気流（６５）が前記予冷器吸気ダクト（１００）を通って流れている間に、前記流れ制御流体流（１５２）を断続的に注入すること
の少なくとも一方を含む、請求項７に記載の方法。
【発明の詳細な説明】
【技術分野】
【０００１】
本開示は、ジェットエンジンのナセル用の予冷器吸気ダクトに関し、より具体的には、予冷器吸気ダクトに隣接する境界層内部の境界層の流体の流れと相互作用し、その流体の流れを修正し、及び／又はその流体の流れにエネルギーを与えるために、アクティブな流れ制御を利用する予冷器吸気ダクト、並びに予冷器吸気ダクトを含むシステム及び方法に関する。
【背景技術】
【０００２】
ジェットエンジンのナセルは、ジェットエンジンによって及び／又はジェットエンジンを含む航空機の別のコンポーネントによって利用される前に、エンジンのブリード空気を冷却するために、予冷器気流を熱交換器アセンブリに案内し得る予冷器吸気ダクトを含み得る。予冷器吸気ダクトは、ナセル内部に存在し得、ジェットエンジンのコンプレッサによって加圧され得る圧縮気流の一部を受けるように配置され得る。
【０００３】
予冷器吸気口がナセル内部に配置されるので、予冷器吸気口のサイズは、ナセルのサイズによって制限され得る。逆に、所与のサイズの予冷器吸気口は、予冷器吸気口を含み得るナセルに必要とされるサイズを指示し得る。また、予冷器気流の所望の流量も、予冷器吸気ダクトに必要とされるサイズに影響し得る。
【０００４】
ある状況下では、予冷器吸気ダクトのサイズを拡大せずに、予冷器気流の流量を増やすことが望ましいだろう。更に又は代替的には、予冷器気流の流量を減らさずに、予冷器吸気ダクトを小さなナセル内部に配置できるように、予冷器吸気ダクトのサイズを縮小すること、及び／又は予冷器吸気ダクトによって利用されるナセル内部の一部を減らすことも望ましいだろう。
【０００５】
歴史的に見て、従来の空気力学の原理は、予冷器吸気ダクトのサイズ及び／又は形状を設計するために利用されてきた。しかしながら、これらの従来の空気力学的原理は、予冷器吸気口のサイズ及び／又は形状を限定することがあり、したがって、予冷器気流の流量の増加及び／又はナセルのサイズの縮小を制限することがある。このようなことを考慮し、本開示による例が、以下でさらに詳しく記述される。
【発明の概要】
【０００６】
アクティブな流れ制御を利用する予冷器吸気ダクト、並びにそのダクトを含むシステム及び方法が、本明細書で開示される。システムは、予冷器気流を受け、予冷器気流を熱交換器内に案内するように構成されるジェットエンジン用の予冷器吸気ダクトを含む。予冷器吸気ダクトは、予冷器吸気ダクトの少なくとも一部を画定する流れ案内表面と、アクティブな流れ制御デバイスとを含む。アクティブな流れ制御デバイスは、予冷器気流が予冷器吸気ダクトを流れるときに、境界層の流れ案内表面からの分離に抵抗するために、流れ案内表面に隣接する境界層内部の境界層の流体の流れを修正するように配置される。アクティブな流れ制御デバイスは、境界層の流れ案内表面からの分離に抵抗するために、境界層と相互作用し及び／又は境界層にエネルギーを与えることになどによって、任意の適する方法で境界層を修正し得る。
【０００７】
いくつかの実施形態では、流れ案内表面の曲率半径は、アクティブな流れ制御デバイスを含まない従来の流れ案内表面の曲率半径未満である。いくつかの実施形態では、流れ案内表面の長さは、従来の流れ案内表面の長さ未満である。
【０００８】
いくつかの実施形態では、アクティブなフロー制御デバイスは、注入穴を通して流れ制御流体流を境界層に注入するように構成される。いくつかの実施形態では、注入穴は、スウィーピングジェット（ｓｗｅｅｐｉｎｇ  ｊｅｔ）の一部を形成する。いくつかの実施形態では、アクティブな流れ制御デバイスは、流れ制御流体流を継続的に注入するように構成される。いくつかの実施形態では、アクティブな流れ制御デバイスは、流れ制御流体流を断続的に注入するように構成される。いくつかの実施形態では、アクティブな流れ制御デバイスは、複数の流れ制御流体流を注入するように構成される。いくつかの実施形態では、アクティブな流れ制御デバイスは、複数の流れ制御流体流のうちのどれが所与の時点で注入されているかを変更するように構成される。
【０００９】
いくつかの実施形態では、アクティブな流れ制御デバイスは、境界層内に渦を発生させるように構成される渦発生器を含む。いくつかの実施形態では、アクティブな流れ制御デバイスは、境界層から吸引流を除去するように構成される吸引アセンブリを含む。
【００１０】
いくつかの実施形態では、予冷器吸気ダクトは、ジェットエンジン用のナセルの一部を形成する。いくつかの実施形態では、ナセルは、航空機の一部を形成する。
【００１１】
方法は、予冷器吸気ダクトの境界層分離に抵抗する方法を含む。方法は、流れ案内表面に隣接する境界層を発生させるために、流れ案内表面を越えて（ａｃｒｏｓｓ  ｔｈｅ  ｆｌｏｗ−ｄｉｒｅｃｔｉｎｇ  ｓｕｒｆａｃｅ）予冷器気流を流すことを含む。方法は、境界層の流れ案内表面からの分離に抵抗するために、アクティブな流れ制御デバイスで境界層を修正することを更に含む。
【図面の簡単な説明】
【００１２】
【図１】本開示による予冷器吸気ダクトを含み得るジェットエンジンを含み得る航空機の例の概略図である。
【図２】本開示による予冷器吸気ダクトを含み得るジェットエンジンの例を示す部分的断片側面の概略図である。
【図３】本開示による予冷器吸気ダクトを含み得るジェットエンジンの例を示す概略正面図である。
【図４】本開示による予冷器吸気ダクトの例を示す概略断面図である。
【図５】本開示による予冷器吸気ダクトの例を示す概略断面図である。
【図６】従来の流れ案内表面と、本開示による流れ案内表面とを比較する概略断面図である。
【図７】本開示による２つの流れ案内表面を比較する概略断面図である。
【図８】本開示による、境界層の予冷器吸気ダクトからの分離に抵抗する方法を示すフローチャートである。
【発明を実施するための形態】
【００１３】
図１から図８は、ジェットエンジン４０を含む航空機２０の、予冷器吸気ダクト１００を含むジェットエンジン４０のナセル５４の、本開示によるアクティブな流れ制御デバイス１５０を含む予冷器吸気ダクト１００、及び／又は予冷器吸気ダクト１００を操作する方法の例示的かつ非排他的な例を提供する。類似の、又は少なくとも実質的に類似の目的を提供する要素には、図１から図８各々において類似の番号が表示され、これらの要素については、図１から図８各々を参照する際に、詳細が述べられないこともある。同様に、すべての要素が図１から図８各々に表示されるわけではないが、それらに関連する参照番号は、一貫して使用されるだろう。図１から図８のうちの一又は複数を参照して説明される要素、構成要素及び／又は特性は、本発明の範囲から逸脱することなく、図１から図８の何れかに含まれ得る及び／又は図１から図８の何れかで用いられ得る。
【００１４】
原則として、所与の（即ち、特定の）実施形態に含まれるであろう要素は、実線で示される一方で、所与の実施形態に対してオプションの要素は、破線で示される。しかしながら、実線で示される要素が、すべての実施形態に必ずしも必須というわけではなく、本開示の範囲を逸脱しなければ、所与の実施形態から省略されてもよい。
【００１５】
図１は、本開示による予冷器吸気ダクト１００を有する予冷アセンブリ６０を含むジェットエンジン４０を含み得る航空機２０の例示的かつ非排他的な例の概略図であり、これに対し、図２及び図３は、本開示による予冷器吸気ダクト１００を有する予冷アセンブリ６０を含むジェットエンジン４０のより詳細であるが、例示的かつ非排他的な例である。より具体的には、図２は、ジェットエンジン４０の一部破断概略側面図であり、これに対し、図３は、ジェットエンジン４０の概略正面図である。
【００１６】
図１に示されるように、航空機２０は、一又は複数のジェットエンジン４０を支持するために動作可能に取り付けられた及び／又は支持するように構成された機体３０を含む。図１に更に示されるように、ジェットエンジン４０は、ジェットエンジン４０の様々な構成要素を画定し、含み及び／又は収容するようにサイズ及び／又は形状が決定され得るナセル５４を含み得る。例として、ジェットエンジン４０は、気流４３を受けるように構成される吸気口４２と、圧縮気流４５を発生させるために気流４３を圧縮する（又は気流４３の圧力を増加させる）ように構成されるコンプレッサ４４とを含み得る。ジェットエンジン４０はまた、燃焼流を発生させるために圧縮気流４５の一部５３で燃料流を燃焼させるように構成されるバーナー４６と、燃焼流によって電力供給され、コンプレッサ４４に電力供給するように構成されるタービン４８とを含み得る。
【００１７】
図１及び図２に示されるように、ジェットエンジン４０は、燃焼流をジェットエンジン４０から放出する（又は出射する）ことができるように構成されるノズル５０を更に含み得る。図２に最も明確に示されるように、ジェットエンジン４０は、コンプレッサ４４から圧縮気流４５の一部５３を受けるように構成される中央ダクト５２、及び本明細書中で予冷器気流６５と呼ばれる圧縮気流４５の別の一部を受けるように構成される予冷器吸気ダクト１００を画定し得る。予冷器吸気ダクト１００は、予冷アセンブリ６０の一部を形成し得、予冷器気流６５を熱交換器６６に及び／又は熱交換器６６に向かって提供及び／又は案内し得る。熱交換器６６は、熱交換された気流６７を発生させるために、熱エネルギーを予冷器気流６５と交換するように構成され得る。熱交換された気流６７は、ジェットエンジン４０及び／又は航空機２０の別の構成要素に提供され得る。
【００１８】
本明細書により詳細に説明されるように、予冷器気流６５が予冷器吸気ダクト１００を通って流れているとき、アクティブな流れ制御装置１５０は、境界層の流体の流れ８２を含む境界層８０の、予冷器吸気ダクト１００の流れ案内表面１４０からの分離に抵抗するように構成、利用、及び／又は操作され得る。例示的かつ非排他的な例として、アクティブな流れ制御デバイス１５０は、境界層の流体の流れ８２を修正するように構成され得、これによって境界層の流体の流れ８２の一又は複数の特徴が変更され、境界層の流体の流れ８２が、流れ案内表面１４０から分離せずに、流れ案内表面１４０を越えて流れることを可能にし得る。
【００１９】
概略的に言えば、アクティブな流れ制御デバイス１５０を含む、本開示による予冷アセンブリ６０及び／又は予冷器吸気ダクト１００は、予冷器気流６５の平均予冷器気流速度の広範囲にわたって、流れ案内表面１４０に付着された境界層８０を維持及び／又は保持するように構成され得る。例示的かつ非排他的な例として、本開示による予冷アセンブリ６０及び／又は予冷器吸気ダクト１００は、平均予冷器気流速度が、少なくとも５０メートル／秒（ｍ／ｓ）、少なくとも７５ｍ／ｓ、少なくとも１００ｍ／ｓ、少なくとも１２５ｍ／ｓ、少なくとも１５０ｍ／ｓ、少なくとも１７５ｍ／ｓ、少なくとも２００ｍ／ｓ、少なくとも２２５ｍ／ｓ、少なくとも２５０ｍ／ｓ、少なくとも２７５ｍ／ｓ、及び／又は少なくとも３００ｍ／ｓであるときに、予冷器吸気ダクト１００に取り付けられる境界層８０を維持し得る。更に又は代替的には、予冷アセンブリ６０はまた、平均予冷器気流速度が、３５０ｍ／ｓ未満、３２５ｍ／ｓ未満、３００ｍ／ｓ未満、２７５ｍ／ｓ未満、２５０ｍ／ｓ未満、２２５ｍ／ｓ未満、及び／又は２００ｍ／ｓ未満であるときに、流れ案内表面１４０に取り付けられる境界層８０を維持し得る。
【００２０】
アクティブな流れ制御デバイス１５０は、任意の適するアクティブな流れ制御技術を含み得る及び／又は利用し得る。例示的かつ非排他的な例として、本明細書により詳しく説明されるように、アクティブな流れ制御デバイス１５０は、流れ制御流体流を境界層８０に注入するように構成され得る。別の例示的かつ非排他的な例として、アクティブな流れ制御デバイス１５０は、境界層８０内部で渦を発生させるように構成される渦発生器を含み得る。更に別の例示的かつ非排他的な例として、アクティブな流れ制御デバイス１５０は、境界層８０から吸引流を除去するように構成され得る。
【００２１】
任意の適する方法で及び／又は任意の適する機器を利用して、アクティブな流れ制御デバイス１５０が、流れ制御流体流を供給し得、渦を発生させ得、及び／又は吸引流を除去し得ることは、本開示の範囲内である。例示的かつ非排他的な例として、アクティブな流れ制御デバイス１５０は、圧電アクチュエーター、形状記憶合金アクチュエーター、ダイアフラム、ポンプ、コンプレッサ、及び／又はファンのうちの一又は複数を含み得る。
【００２２】
図３に示されるように、予冷アセンブリ６０及びその予冷器吸気ダクト１００は、ナセル５４の内部体積５６に配置され得る。したがって、予冷アセンブリ６０及び／又は予冷器吸気ダクト１００のサイズ、形状、及び／又は体積は、ナセル５４の目標となる、所望の及び／又は特定のサイズによって、並びに／若しくは内部体積５６に存在し得る他の構成要素のサイズ及び／又は幾何学形状によって、制約され得る。
【００２３】
説明されたように、ナセル５４のサイズを拡大せずに、予冷器気流６５（図２に示される）の予冷器吸気ダクト１００への流量を増加させることが望ましく、分岐した予冷器吸気口を有する予冷アセンブリ６０が、この予冷器気流６５の流量の増加をもたらすために利用されてきた。このような分岐した予冷器吸気口は、２つの予冷器吸気ダクト１００を含む。これらの予冷器吸気ダクト１００の１つが、図３に実線で示されているのに対し、他方の予冷器吸気ダクト１００は、第２の予冷器吸気ダクトがオプションであり得ることを示すために、破線で示されている。分岐した予冷器吸気口が予冷器気流６５の流量のかなりの増加を提供し得るが、その一方で、予冷器気流６５の流量を更に増加させること、及び／又は単一の予冷器吸気ダクトのみを含む予冷アセンブリを利用することが望ましいだろう。これは、一又は複数のアクティブな流れ制御デバイス１５０を予冷アセンブリ６０の一又は複数の流れ案内表面１４０上に配置することによって実現され得るが、詳細については以下で説明される。
【００２４】
図４及び図５は、本開示による予冷アセンブリ６０で利用され得る予冷器吸気ダクト１００の例示的かつ非排他的な例の概略断面図を提供する。図４及び図５の概略断面図は、図３の線Ａ−Ａに沿ったものであり得る。
【００２５】
図４及び図５において、予冷アセンブリ６０は、一又は複数の予冷器吸気ダクト１００を含む。予冷器吸気ダクト１００は、一又は複数の流れ案内表面１４０によって少なくとも部分的に画定され得、予冷器気流６５を熱交換器６６に向かって及び／又は熱交換器６６と接触するよう案内するように構成され得る。熱交換器６６は、予冷器気流６５を受け、そこから熱交換された気流６７を生成する。図４では、予冷アセンブリ６０は、２つの予冷器吸気ダクト１００を含む分岐した予冷器吸気口を含む。それに対し、図５の予冷アセンブリ６０は、単一の予冷器吸気ダクト１００を含む。
【００２６】
図４及び図５において、一又は複数の流れ案内表面１４０は、一又は複数のアクティブな流れ制御デバイス１５０を含み得る及び／又は利用し得る。アクティブな流れ制御デバイス１５０は、図６に示され、以下でより詳しく説明されるように、境界層８０の境界層の流体の流れ８２のそれぞれの流れ案内表面１４０からの分離に抵抗するように構成され得る。また本明細書でより詳しく説明されるように、アクティブな流れ制御デバイス１５０の存在によって、予冷器吸気ダクト１００及び／又は予冷アセンブリ６０の一又は複数の寸法を縮小することが可能になり得、並びに／若しくは予冷アセンブリ６０が、予冷器気流６５及び／又は熱交換された気流６７に対する目標流量又は所望の流量を維持しつつ、２つの予冷器吸気ダクト１００（図４に示される）を含む分岐した予冷器吸気口ではなく、単一の予冷器吸気ダクト１００（図５に示される）を利用することができる。このように、予冷器吸気ダクト１００及び／又は予冷アセンブリ６０のサイズは、予冷アセンブリ６０の性能を低下させずに、低減され得る。
【００２７】
アクティブな流れ制御デバイス１５０が、本開示による予冷器吸気ダクト１００の任意の適する流れ案内表面１４０上に配置され得及び／又は存在し得ることを示すために、アクティブな流れ制御デバイス１５０が、図４及び図５に破線で示される。例として、アクティブな流れ制御デバイス１５０は、所与の予冷器吸気ダクト１００を画定する複数の（即ち、２以上の）流れ案内表面１４０（例えば、図４の上部及び／又は下部予冷器吸気ダクト１００の互いに反対側にある表面１４０、若しくは図５の単一の予冷器吸気ダクト１００の互いに反対側にある表面１４０）上に配置され得る。別の例として、アクティブな流れ制御デバイス１５０は、所与の予冷器吸気ダクト１００を画定する１つの流れ案内表面１４０上に配置され得るが、所与の予冷器吸気ダクト１００を画定するもう１つの流れ案内表面１４０上には配置され得ない。更に別の例として、流れ制御デバイス１５０は、境界層の流体の流れ８２（図６に示される）の方向への大きな変化が存在する場合に、流れ案内表面１４０の一部に配置され得る。これは、図６及び図７を参照して本明細書で説明されるように、（比較的）小さな曲率半径１０４を有する及び／又は画定する流れ案内表面１４０の一部を含み得る。
【００２８】
図６は、本開示による流れ案内表面１４０によって少なくとも部分的に画定される予冷器吸気ダクト１００を含む予冷アセンブリ６０の一部の概略断面図である。図６に示されるように、流れ案内表面１４０は、本開示による一又は複数のアクティブな流れ制御デバイス１５０を含む。説明されたように、アクティブな流れ制御デバイス１５０は、境界層８０の流れ案内表面１４０からの分離に抵抗するために、流れ案内表面１４０を通過して流れている予冷器気流６５の境界層８０内部に存在する境界層の流体の流れ８２と相互作用する、流体の流れ８２を修正する、及び／又は流体の流れ８２にエネルギーを与えるように構成され得る。これは、任意の適する方法で実現され得る。
【００２９】
例示的かつ非排他的な例として、アクティブな流れ制御デバイス１５０は、流れ案内表面１４０によって、流れ案内表面１４０内部で、及び／又は流れ案内表面１４０上で画定され得る注入穴１５４を通して、一又は複数の流れ制御流体流１５２を境界層８０に注入するように構成され得る。流れ制御流体流１５２は、任意の適する方法で境界層８０に注入され得る。例示的かつ非排他的な例として、流れ制御流体流１５２は、少なくとも１００メートル／秒（ｍ／ｓ）、少なくとも１２５ｍ／ｓ、少なくとも１５０ｍ／ｓ、少なくとも１７５ｍ／ｓ、少なくとも２００ｍ／ｓ、少なくとも２２５ｍ／ｓ、少なくとも２５０ｍ／ｓ、少なくとも２７５ｍ／ｓ、少なくとも３００ｍ／ｓ、少なくとも３５０ｍ／ｓ、少なくとも４００ｍ／ｓ、少なくとも４５０ｍ／ｓ、又は少なくとも５００ｍ／ｓの流速、若しくは平均流速で注入され得る。別の例示的かつ非排他的な例として、流れ制御流体流１５２は、７００ｍ／ｓ未満、６５０ｍ／ｓ未満、６００ｍ／ｓ未満、５５０ｍ／ｓ未満、５００ｍ／ｓ未満、４５０ｍ／ｓ未満、４００ｍ／ｓ未満、３５０ｍ／ｓ未満、３２５ｍ／ｓ未満、３００ｍ／ｓ未満、２７５ｍ／ｓ未満、２５０ｍ／ｓ未満、２２５ｍ／ｓ未満、及び／又は２００ｍ／ｓ未満の流速、若しくは平均流速で注入され得る。更に別の例示的かつ非排他的な例として、流れ制御流体流１５２は、注入穴を越える圧力差が、少なくとも１キロパスカル（ｋＰａ）、少なくとも５ｋＰａ、少なくとも１０ｋＰａ、少なくとも１５ｋＰａ、少なくとも２０ｋＰａ、少なくとも２５ｋＰａ、少なくとも３０ｋＰａ、少なくとも３５ｋＰａ、少なくとも４０ｋＰａ、少なくとも５０ｋＰａ、少なくとも７５ｋＰａ、少なくとも１００ｋＰａ、少なくとも１５０ｋＰａ、少なくとも２００ｋＰａ、少なくとも３００ｋＰａ、少なくとも４００ｋＰａ、少なくとも５００ｋＰａ、少なくとも６００ｋＰａ、及び／又は少なくとも７００ｋＰａであるように、注入穴１５４を通して注入され得る。
【００３０】
予冷器気流６５が流れ案内表面１４０を通過して流れているときに、アクティブな流れ制御デバイス１５０が、継続的に、又は少なくとも実質的に継続的に、流れ制御流体流１５２を境界層８０に注入するように構成され得ることは、本開示の範囲内である。更に又は代替的には、予冷器気流６５が流れ案内表面１４０を通過して流れているときに、アクティブな流れ制御デバイス１５０が、断続的に、選択的に、及び／又は定期的に流れ制御流体流１５２を境界層８０に注入するように構成され得ることもまた、本開示の範囲内である。
【００３１】
流れ制御流体流１５２は、任意の適する場所で境界層８０に注入され得る。例示的かつ非排他的な例として、アクティブな流れ制御デバイス１５０は、複数の流れ制御流体流１５２を境界層８０に注入するように構成され得る。これは、図６に示されるように、流れ案内表面１４０の湾曲又は曲率半径１０４の周囲で間隙をおいて、複数の流れ制御流体流を注入することを含み得る。更に又は代替的には、これはまた、流れ案内表面１４０の長さに沿って間隔をおいて（即ち、図６のＺ軸に沿って間隔をおいて）、複数の流れ制御流体流を注入することを含み得る。
【００３２】
更に別の例示的かつ非排他的な例として、流れ制御流体流１５２は、流れ案内表面１４０上でステップ１３０の背後、下流、及び／又は風下側に注入され得る。ステップ１３０は、流れ案内表面１４０の外形に任意の適する切れ目（ｄｉｓｃｏｎｔｉｎｕｉｔｙ）及び／又は変化を含み得、並びに／若しくは任意の適する切れ目及び／又は変化であり得、本明細書では切れ目１３０とも呼ばれ得る。
【００３３】
流れ制御流体流１５２は、任意の適する方法で生成され得る。例示的かつ非排他的な例として、流れ制御流体流１５２は、ジェットエンジン４０によって及び／又はそのコンプレッサ４４によって（図１及び図２に示される）生成される圧縮気流４５の一部を含み得る、及び／又は圧縮気流４５の一部であり得る。更に又は代替的には、流れ制御流体流１５２は、シンセティックジェット発生器１５８によって発生するシンセティックジェットを含み得る、及び／又はシンセティックジェットであり得る。
【００３４】
別の例示的かつ非排他的な例として、アクティブな流れ制御デバイス１５０は、境界層８０から吸引流１６１を引き出すように構成される吸引アセンブリ１６０を含み得る。更に別の例示的かつ非排他的な例として、アクティブな流れ制御デバイス１５０は、境界層８０内部で渦１５７を発生させるように構成される渦発生器１５６を含み得る。渦発生器１５６は、任意の適する方法で渦１５７を発生させるように構成された任意の適するアクティブな及び／又はパッシブな渦発生器１５６を含み得る。例示的かつ非排他的な例として、渦発生器１５６は、物理的障害及び／又は渦発生器ジェットアクチュエーターを含み得る。
【００３５】
アクティブな流れ制御デバイス１５０が流れ制御流体流１５２を境界層８０に注入するとき、流れ制御流体流１５２は、任意の適する配向で、並びに／若しくは任意の適する角度又は注入角度で注入され得る。例示的かつ非排他的な例として、流れ制御流体流１５２は、第１の注入角度１７０で、境界層８０に注入され得る。第１の注入角度１７０は、流れ案内表面１４０の表面法線方向１６８に平行である第１の平面内で測定され得る。第１の注入角度１７０が、任意の適する角度を含み得る及び／又は任意の適する角度であり得ることは、本開示の範囲内である。第１の平面はまた、流れ案内表面１４０の長さ（即ち、図６のＺ方向）に垂直であり得る。
【００３６】
また、流れ制御流体流１５２は、第２の注入角度１７４で境界層８０にも注入され得る。第２の注入角度１７４は、表面法線方向１６８に平行かつ第１の平面に垂直である第２の平面で測定され得、第２の注入角度１７４が任意の適する角度を含み得ることは、本開示の範囲内である。第２の平面はまた、流れ案内表面１４０の長さに平行でもあり得る。
【００３７】
第１の注入角度１７０及び／又は第２の注入角度１７４の例示的かつ非排他的な例は、少なくとも０度、少なくとも５度、少なくとも１０度、少なくとも１５度、少なくとも２０度、少なくとも３０度、少なくとも４０度、少なくとも５０度、少なくとも６０度、少なくとも７０度、少なくとも８０度、少なくとも９０度、少なくとも１００度、少なくとも１１０度、少なくとも１２０度、少なくとも１３０度、少なくとも１４０度、少なくとも１５０度、少なくとも１６０度、及び／又は少なくとも１７０度の角度を含む。更なる例示的かつ非排他的な例として、第１の注入角度１７０及び／又は第２の注入角度１７４は、１８０度未満、１７０度未満、１６０度未満、１５０度未満、１４０度未満、１３０度未満、１２０度未満、１１０度未満、１００度未満、９０度未満、８０度未満、７０度未満、６０度未満、５０度未満、４０度未満、３０度未満、２０度未満、１５度未満、１０度未満、及び／又は５度未満の角度を含み得る。
【００３８】
第１の注入角度１７０及び／又は第２の注入角度１７４が、先ほど挙げられた下限のうちの何れかと先ほど挙げられた上限のうちの何れかとの間で変化する可変角度であり得ることは、本開示の範囲内である。このような状況下で、流れ制御流体流１５２は、計画的に及び／又は定期的に第１の注入角度及び／又は第２の注入角度を変化させるスウィーピングジェットによって発生し得る。
【００３９】
複数のアクティブな流れ制御デバイスは、任意の適する数のアクティブな流れ制御デバイスを含み得る。例示的かつ非排他的な例として、流れ案内表面１４０は、少なくとも４個の、少なくとも８個の、少なくとも９個の、少なくとも１２個の、少なくとも１８個の、少なくとも２４個の、少なくとも３６個の、少なくとも７２個の、少なくとも９０個の、少なくとも１２０個の、少なくとも１８０個の、少なくとも２７０個の、及び／又は少なくとも３６０個のアクティブな流れ制御デバイス１５０及び／又は注入穴１５４を含み得、若しくは対応する数の流れ制御流体流１５２を注入するように構成され得る。更なる例示的かつ非排他的な例として、流れ案内表面１４０はまた、３６個未満の、７２個未満の、９０個未満の、１２０個未満の、１８０個未満の、２７０個未満の、３６０個未満の、及び／又は７２０個未満のアクティブな流れ制御デバイス１５０及び／又は注入穴１５４を含み得、若しくは対応する数の流れ制御流体流１５２を注入するように構成され得る。
【００４０】
流れ案内表面１４０が、複数のアクティブな流れ制御デバイス１５０を含む及び／又は複数の流れ制御流体流１５２を注入するように構成される場合には、複数の流れ制御流体流１５２は、任意の適する方法で注入され得る。例示的かつ非排他的な例として、複数の流れ制御流体流の各々は、予冷器気流６５が流れ案内表面１４０を通過して及び／又は予冷器吸気ダクト１００を通って流れているときに、継続的に注入され得る。別の例示的かつ非排他的な例として、流れ制御流体流１５２のうちの一又は複数は、断続的に注入され得る。これは、複数の流れ制御流体流１５２のうちのどれが所与の地点で注入されているかを（計画的に）変えることを含み得る。
【００４１】
アクティブな流れ制御デバイス１５０が、複数の流れ制御流体流１５２を注入するように構成される場合には、複数の流れ制御流体流は、流れ案内表面１４０によって画定され得る複数の注入穴１５４を通して注入され得る。複数の注入穴１５４が、円形、細長い形、溝付き形状、正方形、アーチ形、及び／又は長方形の断面形状を含む任意の適する断面形状を含み得ること、並びに複数の注入穴１５４の少なくとも一部が、複数の注入穴１５４の残りに対して異なる断面形状及び／又はサイズを有し得ることは、本開示の範囲内である。アクティブな流れ制御デバイス１５０が、流れ案内表面１４０に沿って及び／又は流れ案内表面１４０を越えて一又は複数の流れ制御流体流を注入するように構成され得る連続的な又は少なくとも実質的に連続的なスロットを含み得ることもまた、本開示の範囲内である。
【００４２】
図７は、従来の予冷器吸気ダクト１１０（破線で示される）と、アクティブな流れ制御デバイス１５０（実線で示される）を含む本開示による予冷器吸気ダクト１００とを比較する概略的断面図である。アクティブな流れ制御デバイス１５０を含む本開示による予冷器吸気ダクト１００は、アクティブな流れ制御デバイス１５０を含まない従来の予冷器吸気ダクト１１０と比較して改善された性能を提供し得る。
【００４３】
例示的かつ非排他的な例として、予冷器吸気ダクト１００の流れ案内表面１４０に隣接する境界層８０内部の境界層の流体の流れ８２は、予冷器吸気ダクト１００の性能を限定し得る。同様に、従来の予冷器吸気ダクト１１０の従来の流れ案内表面１８０に付着される境界層内部の境界層の流体の流れはまた、従来の予冷器吸気ダクト１１０の性能を限定し得る。本開示による予冷器吸気ダクト１００のアクティブな流れ制御デバイス１５０の存在によって、従来の予冷器吸気ダクト１１０の従来の長さ１１２より短い長さ１０２を有しているにもかかわらず、及び／又は従来の予冷器吸気ダクト１１０の従来の曲率半径１１４と比較して、小さな曲率半径１０４を画定しているにもかかわらず、予冷器吸気ダクト１００は、同等の又はずっと優れた性能を有することができる。その長さは、境界層の流体の流れ８２を案内する及び／又は曲げるために、流れ案内表面１４０及び／又は従来の流れ案内表面１８０の外形が変化する始点１０１に対するものとして、定義され得る。同様に、曲率半径は、境界層の流体の流れ８２が、流れ案内表面１４０及び／又は従来の流れ案内表面１８０周囲それぞれに流れるときに、境界層の流体の流れ８２の少なくとも一部によって移動される曲率半径とほぼ同じか同じであり得る。
【００４４】
例示的かつ非排他的な例として、長さ１０２は、従来の長さ１１２の９０％未満、８０％未満、７０％未満、６０％未満、５０％未満、４０％未満、３０％未満、及び／又は２０％未満であり得る。更に又は代替的には、湾曲の半径１０４は、従来の湾曲１１４の半径の９０％未満、８０％未満、７０％未満、６０％未満、５０％未満、４０％未満、３０％未満、及び／又は２０％未満であり得る。
【００４５】
従来の長さ１１２及び／又は従来の曲率半径１１４に対する長さ１０２及び／又は曲率半径１０４を縮小することは、本開示による予冷アセンブリ６０及び／又は予冷器吸気ダクト１００を含むジェットエンジン４０内部に性能の利益を提供し得る。例示的かつ非排他的な例として、長さ１０２及び／又は曲率半径１０４を縮小することによって、本開示によるジェットエンジン４０は、予冷器吸気ダクト１００の長さ１０２及び／又は湾曲の半径１０４が短いため、同等の従来のジェットエンジンと比較して、軽量で及び／又は全体的外寸を小さくしてみせることができる。これは、ナセルのジェットエンジン４０との摩擦損失を減少させ、燃費をよくする可能性がある。更に又は代替的には、これはまた、ジェットエンジン４０が航空機２０に装着され得る位置に関して柔軟性を増大し得る。
【００４６】
図８は、本開示による、境界層の予冷器吸気ダクトからの分離に抵抗する方法２００を示すフローチャートである。方法２００は、２１０において、予冷器気流を予冷器吸気ダクトを通して流すこと、及び２２０において、境界層をアクティブな流れ制御デバイスで修正することを含む。
【００４７】
２１０において予冷器気流を予冷器吸気ダクトを通して流すことは、予冷器吸気ダクトの流れ案内表面を越えて及び予冷器吸気ダクトを通して流すことを含み得る。２１０において流すことは、流れ案内表面に隣接する、境界層の流体の流れを含み得る境界層を発生することを含み得る。
【００４８】
流れ案内表面は、曲率半径及び／又は長さを画定し得、２１０において流すことは、湾曲の半径に沿って及び／又は長さに沿って境界層（又は境界層の流体の流れ）を流すことを含み得る。説明されたように、境界層の流体の流れは、閾値性能を限定し得、曲率半径は、同等の閾値性能を生み出すが２２０における修正を利用しない従来の流れ案内表面の従来の曲率半径未満であり得る。更に又は代替的には、長さは、同等の閾値性能を生み出すが２２０における修正を利用しない従来の流れ案内表面の従来の長さ未満であり得る。曲率半径と従来の曲率半径との間、及び／又は長さと従来の長さとの間の関係の例が、本明細書で開示される。
【００４９】
２２０において境界層を修正することは、境界層の、予冷器吸気ダクトの流れ案内表面からの分離に抵抗するために修正することを含み得る。これは、予冷器吸気ダクトを含むジェットエンジンの期待運動条件及び／又は公称運動条件下などで、境界層の流れ案内表面からの分離の可能性を低減するために、境界層及び／又は境界層の流体の流れの任意の適する特徴若しくは流れ特徴を修正することを含み得る。例示的かつ非排他的な例として、２２０において修正することは、予冷器気流の平均流速が、少なくとも１００メートル／秒（ｍ／ｓ）、少なくとも１２５ｍ／ｓ、少なくとも１５０ｍ／ｓ、少なくとも１７５ｍ／ｓ、少なくとも２００ｍ／ｓ、少なくとも２２５ｍ／ｓ、少なくとも２５０ｍ／ｓ、少なくとも２７５ｍ／ｓ、及び／又は少なくとも３００ｍ／ｓであるときに、境界層の流れ案内表面からの分離に抵抗するために修正することを含み得る。更に又は代替的には、修正することはまた、予冷器気流の平均速度が、３５０ｍ／ｓ未満、３２５ｍ／ｓ未満、３００ｍ／ｓ未満、２７５ｍ／ｓ未満、２５０ｍ／ｓ未満、２２５ｍ／ｓ未満、及び／又は２００ｍ／ｓ未満であるときに、境界層の流れ案内表面からの分離に抵抗するために修正することを含み得る。
【００５０】
２２０における修正することは、任意の適する方法で実現され得る。例示的かつ非排他的な例として、２２０において修正することは、２２２において流れ制御流体流を境界層に注入すること、２２４において境界層内部で渦を発生させること、及び／又は２２６において境界層から吸引流を除去することを含み得る。
【００５１】
２２２において流れ制御流体流を境界層に注入することは、流れ制御流体流を、流れ案内表面によって、流れ案内表面内部に、及び／又は流れ案内表面に沿って画定される注入穴を通して注入することを含み得る。２２２において注入することは、本明細書で開示される例示的かつ非排他的な例である、流れ制御流体流の任意の適する流速で注入することを含み得る。更に又は代替的には、２２２において注入することはまた、本明細書で開示される例示的かつ非排他的な例である任意の適する圧力差が注入穴をまたがって発生するように注入することを含み得る。
【００５２】
２２２において注入することは、２１０で流している間に、流れ制御流体流を継続的に又は実質的に継続的に注入することを含み得る。代替的には、２２２において注入することはまた、２１０で流している間に、流れ制御流体流を断続的に注入することを含み得る。
【００５３】
２２２において注入することが、第１の注入角度で注入すること、及び／又は第２の注入角度で注入することを含み得ることは、本開示の範囲内である。第１の注入角度及び第２の注入角度の例示的かつ非排他的な例が、本明細書で開示される。
【００５４】
流れ制御流体流は、任意の適する方法で発生し得る。例示的かつ非排他的な例として、２２２において注入することは、圧縮気流を注入穴を通して案内することを含み得る。圧縮気流は、任意の適する方法で、例えば、ジェットエンジンによって並びに／若しくは任意の適するポンプ及び／又はコンプレッサを介して、発生し得る。別の例示的かつ非排他的な例として、２２２において注入することは、シンセティックジェット発生器で流れ制御流体流を発生させることを含み得る。
【００５５】
２２２において注入することは、単一の流れ制御流体流又は複数の流れ制御流体流を注入することを含み得る。２２２において注入することが、複数の流れ制御流体流を注入することを含むときには、２２２において注入することは、複数の流れ制御流体流のうちのどれが所与の時点で境界層に注入されているかを変える（計画的に及び／又は定期的に）ことを更に含み得る。更に又は代替的には、説明されたように、複数の流れ制御流体流は、間隔をおいて流れ案内表面を越えて注入され得る。複数の流れ制御流体流間の間隔、及び／又は複数の流れ制御流体流の多くの流れ制御流体流（及び／又は対応する注入穴）の例示的かつ非排他的な例が、本明細書で開示される。
【００５６】
２２４において境界層内部で渦を発生させることは、任意の適する方法で渦を発生させることを含み得る。例示的かつ非排他的な例として、２２４において発生させることは、渦発生器で発生させることを含み得る。
【００５７】
２２６において境界層から吸引流を除去することは、任意の適する方法で境界層から吸引流体流を除去することを含み得る。例示的かつ非排他的例として、２２６において除去することは、境界層から吸引流を除去するために、吸引アセンブリ内部に真空を発生させることを含み得る。
【００５８】
本明細書による発明対象の例示的かつ非排他的な例は、以下に列挙される段落に記載される。
【００５９】
Ａ１．  ジェットエンジン用の予冷器吸気ダクトであって、ジェットエンジンのコンプレッサによって加圧される圧縮気流から予冷器気流を受け、予冷器気流を熱交換器内に案内するように構成され、
予冷器吸気ダクトの少なくとも一部を画定し、予冷器気流を熱交換器内に案内するように成形される流れ案内表面と、
予冷器気流が予冷器吸気ダクトを通って流れるときに、境界層の流れ案内表面からの分離に抵抗するために、流れ案内表面に隣接する境界層内部の境界層の流体の流れを修正するように配置されるアクティブな流れ制御デバイスと
を備える予冷器吸気ダクト。
【００６０】
Ａ２．  境界層の流体の流れは、閾値性能を限定し、更に流れ案内表面の曲率半径は、同等の閾値性能を生み出すがアクティブな流れ制御デバイスを含まない従来の予冷器吸気ダクトの従来の流れ案内表面の従来の曲率半径未満である、段落Ａ１に記載の予冷器吸気ダクト。
【００６１】
Ａ２．１  流れ案内表面の湾曲の半径は、従来の流れ案内表面の湾曲の従来の半径の９０％未満、８０％未満、７０％未満、６０％未満、５０％未満、又は４０％未満である、段落Ａ２に記載の予冷器吸気ダクト。
【００６２】
Ａ３．  境界層は、閾値性能を限定し、更に流れ案内表面の長さは、同等の閾値性能を生み出すがアクティブな流れ制御デバイスを含まない従来の流れ案内表面の従来の長さ未満である、段落Ａ１からＡ２．１の何れか一段落に記載の予冷器吸気ダクト。
【００６３】
Ａ３．１  流れ案内表面の長さは、従来の流れ案内表面の従来の長さの９０％未満、８０％未満、７０％未満、６０％未満、５０％未満、又は４０％未満である、段落Ａ３に記載の予冷器吸気ダクト。
【００６４】
Ａ４．  予冷器吸気ダクトは、境界層を含む、段落Ａ１からＡ３．１の何れか一段落に記載の予冷器吸気ダクト。
【００６５】
Ａ４．１  予冷器吸気ダクトは、境界層の流体の流れを含む、段落Ａ１からＡ４の何れか一段落に記載の予冷器吸気ダクト。
【００６６】
Ａ５．  予冷器吸気ダクトは、予冷器気流を含む、段落Ａ１からＡ４．１の何れか一段落に記載の予冷器吸気ダクト。
【００６７】
Ａ６．  アクティブな流れ制御デバイスは、予冷器吸気ダクトを通る平均予冷器気流の流速が、
（ｉ）少なくとも１００メートル／秒（ｍ／ｓ）、少なくとも１２５ｍ／ｓ、少なくとも１５０ｍ／ｓ、少なくとも１７５ｍ／ｓ、少なくとも２００ｍ／ｓ、少なくとも２２５ｍ／ｓ、少なくとも２５０ｍ／ｓ、少なくとも２７５ｍ／ｓ、又は少なくとも３００ｍ／ｓ、及び
（ｉｉ）３５０ｍ／ｓ未満、３２５ｍ／ｓ未満、３００ｍ／ｓ未満、２７５ｍ／ｓ未満、２５０ｍ／ｓ未満、２２５ｍ／ｓ未満、又は２００  ｍ／ｓ未満
のうちの少なくとも１つであるときに、境界層の流れ案内表面からの分離に抵抗するように構成される、段落Ａ１からＡ５の何れか一段落に記載の予冷器吸気ダクト。
【００６８】
Ａ７．  アクティブな流れ制御デバイスは、流れ案内表面によって画定される注入穴を通して、流れ制御流体流を境界層に注入するように構成される、段落Ａ１からＡ６の何れか一段落に記載の予冷器吸気ダクト。
【００６９】
Ａ７．１  注入穴は、スウィーピングジェットの一部を形成する、段落Ａ７に記載の予冷器吸気ダクト。
【００７０】
Ａ７．２  予冷器吸気ダクトは、予冷器気流を含む、段落Ａ７又はＡ７．１に記載の予冷器吸気ダクト。
【００７１】
Ａ７．３  注入穴を通る流れ制御流体流の流速は、
（ｉ）少なくとも１００メートル／秒（ｍ／ｓ）、少なくとも１２５ｍ／ｓ、少なくとも１５０ｍ／ｓ、少なくとも１７５ｍ／ｓ、少なくとも２００ｍ／ｓ、少なくとも２２５ｍ／ｓ、少なくとも２５０ｍ／ｓ、少なくとも２７５ｍ／ｓ、少なくとも３００ｍ／ｓ、少なくとも３５０ｍ／ｓ、少なくとも４００ｍ／ｓ、少なくとも４５０ｍ／ｓ、又は少なくとも５００ｍ／ｓ、及び
（ｉｉ）７００ｍ／ｓ未満、６５０ｍ／ｓ未満、６００ｍ／ｓ未満、５５０ｍ／ｓ未満、５００ｍ／ｓ未満、４５０ｍ／ｓ未満、４００ｍ／ｓ未満、３５０ｍ／ｓ未満、３２５ｍ／ｓ未満、３００ｍ／ｓ未満、２７５ｍ／ｓ未満、２５０ｍ／ｓ未満、２２５ｍ／ｓ未満、又は２００ｍ／ｓ未満
のうちの少なくとも１つである、段落Ａ７からＡ７．２の何れか一段落に記載の予冷器吸気ダクト。
【００７２】
Ａ７．４  注入穴を越える流れ制御流体流の圧力差は、少なくとも１キロパスカル（ｋＰａ）、少なくとも５ｋＰａ、少なくとも１０ｋＰａ、少なくとも１５ｋＰａ、少なくとも２０ｋＰａ、少なくとも２５ｋＰａ、少なくとも３０ｋＰａ、少なくとも３５ｋＰａ、又は少なくとも４０ｋＰａである、段落Ａ７からＡ７．３の何れか一段落に記載の予冷器吸気ダクト。
【００７３】
Ａ７．５  アクティブな流れ制御デバイスは、予冷器気流が予冷器吸気ダクトを通って流れているときに、流れ制御流体流を境界層に継続的に注入するように構成される、段落Ａ７からＡ７．４の何れか一段落に記載の予冷器吸気ダクト。
【００７４】
Ａ７．６  アクティブな流れ制御デバイスは、予冷器気流が予冷器吸気ダクトを通って流れているときに、流れ制御流体流を境界層に継続的に注入するように構成される、段落Ａ７からＡ７．４の何れか一段落に記載の予冷器吸気ダクト。
【００７５】
Ａ７．７  注入穴は、円形注入穴、細長い注入穴、スロット、及び長方形スロットのうちの少なくとも１つを含む、段落Ａ７からＡ７．６の何れか一段落に記載の予冷器吸気ダクト。
【００７６】
Ａ７．８  アクティブな流れ制御デバイスは、流れ案内表面の表面法線方向に平行である第１の平面で測定される第１の注入角度、及び表面法線方向に平行かつ第１の平面に垂直である第２の平面で測定される第２の注入角度で、流れ制御流体流を境界層に注入するように構成される、段落Ａ７からＡ７．７の何れか一段落に記載の予冷器吸気ダクト。
【００７７】
Ａ７．８．１  第１の注入角度は、
（ｉ）少なくとも０度、少なくとも５度、少なくとも１０度、少なくとも１５度、少なくとも２０度、少なくとも３０度、少なくとも４０度、少なくとも５０度、少なくとも６０度、少なくとも７０度、少なくとも８０度、少なくとも９０度、少なくとも１００度、少なくとも１１０度、少なくとも１２０度、少なくとも１３０度、少なくとも１４０度、少なくとも１５０度、少なくとも１６０度、又は少なくとも１７０度、
（ｉｉ）１８０度未満、１７０度未満、１６０度未満、１５０度未満、１４０度未満、１３０度未満、１２０度未満、１１０度未満、１００度未満、９０度未満、８０度未満、７０度未満、６０度未満、５０度未満、４０度未満、３０度未満、２０度未満、１５度未満、１０度未満、又は５度未満、及び
（ｉｉｉ）（ｉ）の任意の１つと（ｉｉ）の任意の１つとの間で変わる可変の第１の注入角度
のうちの少なくとも１つである、段落Ａ７．８に記載の予冷器吸気ダクト。
【００７８】
Ａ７．８．２  第２の注入角度は、
（ｉ）少なくとも０度、少なくとも５度、少なくとも１０度、少なくとも１５度、少なくとも２０度、少なくとも３０度、少なくとも４０度、少なくとも５０度、少なくとも６０度、少なくとも７０度、少なくとも８０度、少なくとも９０度、少なくとも１００度、少なくとも１１０度、少なくとも１２０度、少なくとも１３０度、少なくとも１４０度、少なくとも１５０度、少なくとも１６０度、又は少なくとも１７０度、及び
（ｉｉ）１８０度未満、１７０度未満、１６０度未満、１５０度未満、１４０度未満、１３０度未満、１２０度未満、１１０度未満、１００度未満、９０度未満、８０度未満、７０度未満、６０度未満、５０度未満、４０度未満、３０度未満、２０度未満、１５度未満、１０度未満、又は５度未満、及び
（ｉｉｉ）（ｉ）の任意の１つと（ｉｉ）の任意の１つとの間で変わる可変の第２の注入角度
のうちの少なくとも１つである、段落Ａ７．８又は段落Ａ７．８．１に記載の予冷器吸気ダクト。
【００７９】
Ａ７．９  アクティブな流れ制御デバイスは、複数の流れ制御流体流を境界層に注入するように構成される、段落Ａ７からＡ７．８．２の何れか一段落に記載の予冷器吸気ダクト。
【００８０】
Ａ７．９．１  アクティブな流れ制御デバイスは、複数の流れ制御流体流のうちのどれが所与の時点で境界層に注入されているかを（体系的に）変更するように構成される、段落Ａ７．９に記載の予冷器吸気ダクト。
【００８１】
Ａ７．９．２  アクティブな流れ制御デバイスは、流れ案内表面によって画定される複数の注入穴を通して、複数の流れ制御流体流を境界層に注入するように構成される、段落Ａ７．９又はＡ７．９．１に記載の予冷器吸気ダクト。
【００８２】
Ａ７．９．２．１  複数の注入穴は、流れ案内表面上で間隔をおいている、段落Ａ７．９．２に記載の予冷器吸気ダクト。
【００８３】
Ａ７．９．２．２  複数の注入穴は、
（ｉ）少なくとも４個、少なくとも８個、少なくとも９個、少なくとも１２個、少なくとも１８個、少なくとも２４個、少なくとも３６個、少なくとも７２個、少なくとも９０個、少なくとも１２０個、少なくとも１８０個、少なくとも２７０個、又は少なくとも３６０個の注入穴、及び
（ｉｉ）３６個未満、７２個未満、９０個未満、１２０個未満、１８０個未満、２７０個未満、３６０個未満、又は７２０個未満の注入穴
のうちの少なくとも１つを含む、段落Ａ７．９．２又はＡ７．９．２．１に記載の予冷器吸気ダクト。
【００８４】
Ａ７．１０  流れ制御流体流は、ジェットエンジンによって任意で発生する圧縮気流を含む、段落Ａ７からＡ７．９．２．２の何れか一段落に記載の予冷器吸気ダクト。
【００８５】
Ａ７．１１  流れ制御流体流は、シンセティックジェット発生器によってオプションとして発生するシンセティックジェットを含む、段落Ａ７からＡ７．１０の何れか一段落に記載の予冷器吸気ダクト。
【００８６】
Ａ８．  アクティブな流れ制御デバイスは、境界層内部で渦を発生させるように構成される渦発生器を含む、段落Ａ１からＡ７．１１の何れか一段落に記載の予冷器吸気ダクト。
【００８７】
Ａ９．  アクティブな流れ制御デバイスは、境界層から吸引流を除去するように構成される吸引アセンブリを備える、段落Ａ１からＡ８の何れか一段落に記載の予冷器吸気ダクト。
【００８８】
Ａ１０．  アクティブな流れ制御デバイスは、圧電アクチュエーター、形状記憶合金アクチュエーター、ダイアフラム、ポンプ、コンプレッサ、及びファンのうちの少なくとも１つを含む、段落Ａ１からＡ９の何れか一段落に記載の予冷器吸気ダクト。
【００８９】
Ｂ１．  ジェットエンジン用のナセルであって、
気流を受けるように構成される吸気口と、
段落Ａ１からＡ１０の何れか一段落に記載の予冷器吸気ダクトを含む予冷アセンブリと
を備え、予冷器吸気ダクトは、ナセルの吸気口に流体連結されるナセル。
【００９０】
Ｂ２．  予冷アセンブリは、予冷器吸気ダクトから予冷器気流を受けるように構成される熱交換器を更に含む、段落Ｂ１に記載のジェットエンジン。
【００９１】
Ｃ１．  航空機であって、
機体と、
段落Ｂ１又はＢ２に記載のジェットエンジンと
を備える航空機。
【００９２】
Ｄ１．  境界層の予冷器吸気ダクトの流れ案内表面からの分離に抵抗する方法であって、
流れ案内表面を越えてかつ予冷器吸気ダクトを含むジェットエンジンの予冷器吸気ダクトを通して、予冷器気流を流すことであって、流すことは、流れ案内表面に隣接する境界層を発生させることを含み、更に境界層は、境界層の流体の流れを含む、流すことと、
境界層の流れ案内表面からの分離に抵抗するために、アクティブな流れ制御デバイスで境界層の流体の流れを修正することと
を含む方法。
【００９３】
Ｄ２．  境界層の流体の流れは、閾値性能を限定し、流れ案内表面は、曲率半径を画定し、流すことは、湾曲の半径に沿って境界層を流すことを含み、更に湾曲の半径は、同等の閾値性能を生み出すが修正することを利用しない従来の流れ案内表面の従来の曲率半径未満である、段落Ｄ１に記載の方法。
【００９４】
Ｄ２．１  流れ案内表面の湾曲の半径は、従来の流れ案内表面の湾曲の従来の半径の９０％未満、８０％未満、７０％未満、６０％未満、５０％未満、又は４０％未満である、段落Ｄ２に記載の方法。
【００９５】
Ｄ３．  境界層の流体の流れは、閾値性能を限定し、更に流れ案内表面の長さは、同等の閾値性能を生み出すが修正することを利用しない従来の流れ案内表面の従来の長さ未満である、段落Ｄ１からＤ２．１の何れか一段落に記載の方法。
【００９６】
Ｄ３．１．  流れ案内表面の長さは、従来の流れ案内表面の従来の長さの９０％未満、８０％未満、７０％未満、６０％未満、５０％未満、又は４０％未満である、段落Ｄ３に記載の方法。
【００９７】
Ｄ４．  修正することは、予冷器気流の平均流速が、
（ｉ）少なくとも１００メートル／秒（ｍ／ｓ）、少なくとも１２５ｍ／ｓ、少なくとも１５０ｍ／ｓ、少なくとも１７５ｍ／ｓ、少なくとも２００ｍ／ｓ、少なくとも２２５ｍ／ｓ、少なくとも２５０ｍ／ｓ、少なくとも２７５ｍ／ｓ、又は少なくとも３００ｍ／ｓ、及び
（ｉｉ）３５０ｍ／ｓ未満、３２５ｍ／ｓ未満、３００ｍ／ｓ未満、２７５ｍ／ｓ未満、２５０ｍ／ｓ未満、２２５ｍ／ｓ未満、又は２００ｍ／ｓ未満
のうちの少なくとも１つであるときに、境界層の流れ案内表面からの分離に抵抗するために修正することを含む、段落Ｄ１からＤ３．１の何れか一段落に記載の方法。
【００９８】
Ｄ５．  修正することは、流れ案内表面によって画定される注入穴を通して、流れ制御流体流を境界層に注入することを含む、段落Ｄ１からＤ４の何れか一段落に記載の方法。
【００９９】
Ｄ５．１  注入穴を通る流れ制御流体流の流速は、
（ｉ）少なくとも１００メートル／秒（ｍ／ｓ）、少なくとも１２５ｍ／ｓ、少なくとも１５０ｍ／ｓ、少なくとも１７５ｍ／ｓ、少なくとも２００ｍ／ｓ、少なくとも２２５ｍ／ｓ、少なくとも２５０ｍ／ｓ、少なくとも２７５ｍ／ｓ、少なくとも３００ｍ／ｓ、少なくとも３５０ｍ／ｓ、少なくとも４００ｍ／ｓ、少なくとも４５０ｍ／ｓ、又は少なくとも５００ｍ／ｓ、及び
（ｉｉ）７００ｍ／ｓ未満、６５０ｍ／ｓ未満、６００ｍ／ｓ未満、５５０ｍ／ｓ未満、５００ｍ／ｓ未満、４５０ｍ／ｓ未満、４００ｍ／ｓ未満、３５０ｍ／ｓ未満、３２５ｍ／ｓ未満、３００ｍ／ｓ未満、２７５ｍ／ｓ未満、２５０ｍ／ｓ未満、２２５ｍ／ｓ未満、又は２００ｍ／ｓ未満
のうちの少なくとも１つである、段落Ｄ５に記載の方法。
【０１００】
Ｄ５．２  注入穴を越える流れ制御流体流の圧力差は、少なくとも１キロパスカル（ｋＰａ）、少なくとも５ｋＰａ、少なくとも１０ｋＰａ、少なくとも１５ｋＰａ、少なくとも２０ｋＰａ、少なくとも２５ｋＰａ、少なくとも３０ｋＰａ、少なくとも３５ｋＰａ、又は少なくとも４０ｋＰａである、段落Ｄ５からＤ５．１の何れか一段落に記載の方法。
【０１０１】
Ｄ５．３  注入することは、予冷器気流が予冷器吸気ダクトを通って流れている間に、流れ制御流体流を継続的に注入することを含む、段落Ｄ５からＤ５．２の何れか一段落に記載の方法。
【０１０２】
Ｄ５．４  注入することは、予冷器気流が予冷器吸気ダクトを通って流れている間に、流れ制御流体流を断続的に注入することを含む、段落Ｄ５からＤ５．２の何れか一段落に記載の方法。
【０１０３】
Ｄ５．５  注入することは、流れ案内表面の表面法線方向に平行である第１の平面内で測定される第１の注入角度、及び表面法線方向に平行かつ第１の平面に垂直である第２の平面内で測定される第２の注入角度で、注入することを含む、段落Ｄ５からＤ５．４の何れか一段落に記載の方法。
【０１０４】
Ｄ５．５．１  第１の注入角度は、
（ｉ）少なくとも０度、少なくとも５度、少なくとも１０度、少なくとも１５度、少なくとも２０度、少なくとも３０度、少なくとも４０度、少なくとも５０度、少なくとも６０度、少なくとも７０度、少なくとも８０度、少なくとも９０度、少なくとも１００度、少なくとも１１０度、少なくとも１２０度、少なくとも１３０度、少なくとも１４０度、少なくとも１５０度、少なくとも１６０度、又は少なくとも１７０度、
（ｉｉ）１８０度未満、１７０度未満、１６０度未満、１５０度未満、１４０度未満、１３０度未満、１２０度未満、１１０度未満、１００度未満、９０度未満、８０度未満、７０度未満、６０度未満、５０度未満、４０度未満、３０度未満、２０度未満、１５度未満、１０度未満、又は５度未満、及び
（ｉｉｉ）（ｉ）の任意の１つと（ｉｉ）の任意の１つとの間で変わる可変の第１の注入角度
のうちの少なくとも１つである、段落Ｄ５．５に記載の方法。
【０１０５】
Ｄ５．５．２  第２の注入角度は、
（ｉ）少なくとも０度、少なくとも５度、少なくとも１０度、少なくとも１５度、少なくとも２０度、少なくとも３０度、少なくとも４０度、少なくとも５０度、少なくとも６０度、少なくとも７０度、少なくとも８０度、少なくとも９０度、少なくとも１００度、少なくとも１１０度、少なくとも１２０度、少なくとも１３０度、少なくとも１４０度、少なくとも１５０度、少なくとも１６０度、又は少なくとも１７０度、
（ｉｉ）１８０度未満、１７０度未満、１６０度未満、１５０度未満、１４０度未満、１３０度未満、１２０度未満、１１０度未満、１００度未満、９０度未満、８０度未満、７０度未満、６０度未満、５０度未満、４０度未満、３０度未満、２０度未満、１５度未満、１０度未満、又は５度未満、及び
（ｉｉｉ）（ｉ）の任意の１つと（ｉｉ）の任意の１つとの間で変わる可変の第２の注入角度
のうちの少なくとも１つである、段落Ｄ５．５又はＤ５．５．１に記載の方法。
【０１０６】
Ｄ５．６  方法は、流れ制御流体流を発生させるために、注入穴を通して圧縮気流（ジェットエンジンによってオプションとして発生する）を案内することを更に含む、段落Ｄ５からＤ５．５．２の何れか一段落に記載の方法。
【０１０７】
Ｄ５．７  方法は、シンセティックジェットで流れ制御流体流を発生させることを更に含む、段落Ｄ５からＤ５．６の何れか一段落に記載の方法。    
【０１０８】
Ｄ５．８  注入することは、複数の流れ制御流体流を境界層に注入することを含む、段落Ｄ５からＤ５．７の何れか一段落に記載の方法。
【０１０９】
Ｄ５．８．１  注入することは、複数の流れ制御流体流のうちのどれが所与の時点で境界層に注入されているかを（計画的に）変更することを含む、段落Ｄ５．８に記載の方法。
【０１１０】
Ｄ５．８．２  注入することは、流れ案内表面を越えて間隙をおくように複数の流れ制御流体流を注入することを含む、段落Ｄ５．８又はＤ５．８．１に記載の方法。
【０１１１】
Ｄ５．８．３  複数の流れ制御流体流は、
（ｉ）少なくとも８個、少なくとも９個、少なくとも１２個、少なくとも１８個、少なくとも２４個、少なくとも３６個、少なくとも７２個、少なくとも９０個、少なくとも１２０個、少なくとも１８０個、少なくとも２７０個、又は少なくとも３６０個の注入穴、及び
（ｉｉ）３６個未満、７２個未満、９０個未満、１２０個未満、１８０個未満、２７０個未満、３６０個未満、又は７２０個未満の注入穴
のうちの少なくとも１つを含む、段落Ｄ５．８からＤ５．８．２の何れか一段落に記載の方法。
【０１１２】
Ｄ６．  修正することは、渦発生器で境界層内部に渦を発生させることを含む、段落Ｄ１からＤ５．８．３の何れか一段落に記載の方法。
【０１１３】
Ｄ７．  修正することは、吸引アセンブリで境界層から吸引流を除去することを含む、段落Ｄ１からＤ６の何れか一段落に記載の方法。
【０１１４】
Ｄ８．  修正することは、圧電アクチュエーター、形状記憶合金アクチュエーター、ダイアフラム、ポンプ、コンプレッサ、及びファンのうちの少なくとも１つで修正することを含む、段落Ｄ１からＤ７の何れか一段落に記載の方法。
【０１１５】
本明細書で使用されるように、装置の一又は複数の構成要素若しくは特徴の動作、運動、構成、又はその他の作用を修正する場合の「選択的な」及び「選択的に」という用語は、その特定の動作、運動、構成又はその他の作用が、装置の一又は複数の構成要素の態様のユーザによる操作の直接的又は間接的な結果であることを意味する。
【０１１６】
本明細書中で使用されるように、「適合される」及び「構成される」という用語は、要素、構成要素、又はその他の対象が、所与の機能を実行するように設計及び／又は意図されることを意味する。したがって、「適合される」及び「構成される」という用語の使用は、所与の要素、構成要素、又はその他の対象が、単に所与の機能を実行「できる」ことを意味するのではなく、要素、構成要素、及び／又はその他の対象が、その機能を実行する目的で、具体的に選択、形成、実施、利用、プログラム化、及び／又は設計されることを意味すると解釈されるべきである。特定の機能を実行するために適合されるとして列挙される要素、構成要素、及び／又はその他の列挙される対象が、更に又は代替的に、その機能を実行するように構成されると説明され得ること、及び逆の場合も同じであり得るということもまた、本開示の範囲内である。同様に、特定の機能を実行するように構成されるとして列挙される対象が、更に又は代替的に、その機能を実行するように作用できると説明され得る。
【０１１７】
本明細書で開示される様々な装置の要素及び方法のステップは、本発明の開示による装置及び方法のすべてを必要としているわけではなく、本発明の開示は、本明細書で開示される様々な要素及びステップの新規及び非新規の組み合わせ並びに部分的組み合わせのすべてを含む。更に、本明細書で開示される様々な要素及びステップのうちの一又は複数は、開示される装置又は方法全体とは別個の分離した、独立した発明の対象を画定し得る。従って、そのような発明の対象は、本明細書中で明確に開示される特定の装置及び方法と関連付けられる必要はなく、そのような発明の対象は、本明細書で明確に開示されない装置及び／又は方法の有用性を見い出し得る。
【図１】
0006613075.tif 000002
【図２】
0006613075.tif 000003
【図３】
0006613075.tif 000004
【図４】
0006613075.tif 000005
【図５】
0006613075.tif 000006
【図６】
0006613075.tif 000007
【図７】
0006613075.tif 000008
【図８】
0006613075.tif 000009